(57)【要約】【課題】  固定ピン及び穴や保持片を必要とせずにブリッジや智の回動を防ぐことができ、歩留まりを良くすることのできる縁無し眼鏡を提供する。【解決手段】  左右一対のレンズ１と、左右一対のレンズ１を繋ぐブリッジ２１と、各レンズ１の外端縁に固定される左右の智２２とにより構成される縁無し眼鏡において、ブリッジ２１の両端及び左右の智２２それぞれの一端はレンズ６に固定手段３により固定される。固定手段３は、ブリッジ２１の両端及び左右の智２２それぞれの一端に立設されたねじ棒３２を、レンズ１に形成された前後方向の貫通孔３１に挿通し、該ねじ棒３２の突出端部にナット３３を螺合させる構成とされ、さらに、ブリッジ２１の両端及び左右の智２２それぞれの一端とレンズ１との間に挟持される第１の止め片３４と、レンズ１とナット３３との間に挟持される第２の止め片３５とを含む。【選択図】  図１
2004246355.tif 000002
【特許請求の範囲】
【請求項１】
左右一対のレンズと、
前記左右一対のレンズの内端縁間に架設され、且つ、その両端がそれぞれ前記各レンズの内端縁に固定されて、前記左右一対のレンズを繋ぐブリッジと、
その一端が前記各レンズの外端縁に固定され、他端がテンプルに連設される左右の智とにより構成された縁無し眼鏡であって、
前記ブリッジの両端及び前記左右の智それぞれの一端のうち少なくともいずれか一方は前記レンズに固定手段により固定され、
前記固定手段は、
前記レンズに形成された前後方向の貫通孔と、
前記ブリッジの両端及び前記左右の智それぞれの一端のうち少なくともいずれか一方に立設されて前記貫通孔に挿通するねじ棒と、
前記ねじ棒の前記貫通孔から突出する端部に螺合するナットと、
前記ブリッジの両端及び前記智それぞれの一端のうち少なくともいずれか一方と前記レンズとの間に挟持される第１の止め片と、
前記レンズと前記ナットとの間に挟持される第２の止め片とを備えることを特徴とする縁無し眼鏡。
【請求項２】
前記第１の止め片の両面及び前記第２の止め片の両面に複数の突起が設けられていることを特徴とする請求項１に記載の縁無し眼鏡。
【請求項３】
前記ブリッジの両端及び前記左右の智それぞれの一端のうち少なくともいずれか一方に通孔が設けられ、前記ねじ棒は、前記通孔に挿通された状態で前記通孔にて係止されることを特徴とする請求項１又は２に記載の縁無し眼鏡。
【請求項４】
前記ねじ棒は、ねじが設けられた端部と、前記端部の反対側にあるヘッド部と、前記ヘッド部と前記端部との間に設けられた前記通孔に嵌合させるための拡径部とを備え、前記拡径部の外周面に前記通孔の内壁と互いに係止し合う複数のリブが形成されていることを特徴とする請求項３に記載の縁無し眼鏡。
【請求項５】
前記ねじ棒のうち前記ナット外に突出する部分が保護キャップにより被われていることを特徴とする請求項１〜４のいずれか１項に記載の縁無し眼鏡。
【請求項６】
鼻当てが前記第２の止め片から延出することを特徴とする請求項１〜５のいずれか１項に記載の縁無し眼鏡。
【発明の詳細な説明】
【技術分野】
【０００１】
本発明は、リムのない状態でレンズを保持する縁無し眼鏡に関する。
【背景技術】
【０００２】
縁無し眼鏡は、リムをなくすとともに、ブリッジ及び智でレンズを保持するものである。この場合、鼻当てはブリッジから延びた鼻当てアームに取り付けられ、且つ、テンプルは智にヒンジを介して連接される。
【０００３】
図７〜９には、このような従来の縁無し眼鏡を示す。縁無し眼鏡は、左右一対のレンズ６、６の内端縁にブリッジ７１の両端がそれぞれ固定され、各レンズ６の外端縁には智７２、７２が固定される構成とされる。
【０００４】
これらのブリッジ７１及び智７２、７２は固定手段８によってレンズ６に固定される。固定手段８は、多くの場合、ブリッジ７１の両端及び智７２、７２それぞれの一端に立設されたねじ棒８１を、レンズ６に形成された前後方向の貫通孔８２に挿通し、反対側から該ねじ棒８１の突出端部にナット８３を締め付ける構成とされる。
【０００５】
この場合に、ナット８３の締め付けに伴ってブリッジ７１や智７２がレンズ６に対して回動したり、使用時にナット８３の締め付けが緩んでブリッジ７１や智７２がレンズ６に対して回動したりするのを避けるため、ブリッジ７１及び智７２、７２のねじ棒８１から離間した位置に固定ピン８５が設けられる。該固定ピン８５がレンズ６の適所に穿設された穴８４に貫装されることにより、ブリッジ７１や智７２の回動を防ぐことができる。なお、図９に示す例では、一対のレンズ６、６における４つの貫通孔８２の位置と４つの穴８４の位置とは直線連線関係となっているが、他に直線連線関係となっていないものなど様々な形式があり、レンズ６、６を左右対称的に保持できれば良い。
【０００６】
また、図１０、１１に示すように、前述した固定ピン８５及び穴８４の代わりに、ブリッジ７１の両端及び智７２、７２それぞれの一端のねじ棒８１寄りの適所に、それぞれレンズ６の側縁の一部に沿って挟持固定する保持片８６が設けられる例もある。この場合は、該保持片８６により、ブリッジ７１や智７２の回動を防ぐことができる。
【発明の開示】
【発明が解決しようとする課題】
【０００７】
しかしながら、図７〜９に示した構造では、貫通孔８２と穴８４の数は合わせて８個と多くなり、穿設時に少しの誤差があるだけで左右対称関係になっていない製品ができて不良品となってしまうため、歩留まりが良くないという欠点がある。
【０００８】
また、図１０、１１に示した構造では、貫通孔８２と穴８４の数が多いという欠点は解消されるが、保持片８６がレンズ６の側縁の輪郭形状に合わせて形成される必要があるため、製作の公差上の要求が低くなることはなく、依然として歩留まりが良くないという問題が残る。
【０００９】
本発明は上記に点に鑑みてなされたものであり、固定ピン及び穴や保持片を必要とせずにブリッジや智の回動を防ぐことができ、歩留まりを良くすることのできる縁無し眼鏡を提供することを目的とする。
【課題を解決するための手段】
【００１０】
本発明の縁無し眼鏡は、左右一対のレンズと、前記左右一対のレンズの内端縁間に架設され、且つ、その両端がそれぞれ前記各レンズの内端縁に固定されて、前記左右一対のレンズを繋ぐブリッジと、その一端が前記各レンズの外端縁に固定され、他端がテンプルに連設される左右の智とにより構成された縁無し眼鏡であって、前記ブリッジの両端及び前記左右の智それぞれの一端のうち少なくともいずれか一方は前記レンズに固定手段により固定され、前記固定手段は、前記レンズに形成された前後方向の貫通孔と、前記ブリッジの両端及び前記左右の智それぞれの一端のうち少なくともいずれか一方に立設されて前記貫通孔に挿通するねじ棒と、前記ねじ棒の前記貫通孔から突出する端部に螺合するナットと、前記ブリッジの両端及び前記智それぞれの一端のうち少なくともいずれか一方と前記レンズとの間に挟持される第１の止め片と、前記レンズと前記ナットとの間に挟持される第２の止め片とを備える点に特徴を有する。
また、前記第１の止め片の両面及び前記第２の止め片の両面に複数の突起が設けられていてもよい。
また、前記ブリッジの両端及び前記左右の智それぞれの一端のうち少なくともいずれか一方に通孔が設けられ、前記ねじ棒は、前記通孔に挿通された状態で前記通孔にて係止されるようにしてもよい。この場合、前記ねじ棒は、ねじが設けられた端部と、前記端部の反対側にあるヘッド部と、前記ヘッド部と前記端部との間に設けられた前記通孔に嵌合させるための拡径部とを備え、前記拡径部の外周面に前記通孔の内壁と互いに係止し合う複数のリブが形成されているようにしてもよい。
また、前記ねじ棒のうち前記ナット外に突出する部分が保護キャップにより被われるようにしてもよい。
また、鼻当てが前記第２の止め片から延出するようにしてもよい。
【発明の効果】
【００１１】
本発明によれば、ブリッジの両端及び左右の智それぞれの一端のうち少なくともいずれか一方とレンズとの間に第１の止め片が、レンズとナットとの間に第２の止め片が挟持されているので、これら止め片の両面による摩擦により、ナットの締め付けに伴ってブリッジや智が回動するのを防ぐことができ、正確に締め付けて固定することができる上、使用時にナットの締め付けが緩んでも、ブリッジや智がレンズに対して回動することを防ぐこともできる。このように固定ピン及び穴や保持片を、ブリッジや智、レンズに設けることを必要とせずにブリッジや智の回動を防ぐことができ、歩留まりを向上させることができる。
【発明を実施するための最良の形態】
【００１２】
以下、図面を参照して、本発明の好ましい実施形態について詳しく説明する。なお、以下の説明においては、そのサイズに拘わらず、略同一の機能及び構成を有する構成要素については同一符号を付し、重複説明は必要な場合にのみ行う。
【００１３】
図１に示す縁無し眼鏡は、左右一対のレンズ１、１と、左右一対のレンズ１、１の内端縁間に架設され、且つ、その両端がそれぞれ各レンズ１の内端縁に固定されて、左右一対のレンズ１、１を繋ぐブリッジ２１と、その一端が各レンズ１の外端縁に固定され、他端がテンプルに連接される左右の智２２、２２とにより構成される。なお、テンプルは図示されていないが、ヒンジ手段により各智２２の他端に回動可能に連接しても良いし、記憶金属を介して各智２２の他端と連接しても良い。また、智２２とテンプルとが一体連接になって両者全体が記憶金属からなっていても良い。
【００１４】
これらのブリッジ２１の両端及び左右の智２２、２２それぞれの一端はレンズ６、６に固定手段３により固定される。図２、３には固定手段３の詳細を示す。なお、図２、３では智２２の固定を図示するが、ブリッジ２１の固定も同様である。固定手段３は、ブリッジ２１の両端及び左右の智２２、２２それぞれの一端に立設されたねじ棒３２を、レンズ１の適所に形成された前後方向の貫通孔３１に挿通し、反対側から該ねじ棒３２の突出端部にナット３３を螺合させて締め付ける構成とされる。
【００１５】
さらに、固定手段３は、図２、３に示すように、ブリッジ２１の両端及び左右の智２２、２２それぞれの一端とレンズ１との間に挟持される第１の止め片３４と、レンズ１とナット３３との間に挟持される第２の止め片３５とを含む。第１の止め片３４及び第２の止め片３５それぞれには、ねじ棒３２を挿通させるための中心孔３４０、３５０が形成される。そして、止め片３４、３５それぞれの両面には、摩擦抵抗を高めるための複数の突起３４１、３５１が形成される。
【００１６】
前述したようにねじ棒３２にナット３３を螺合させるとき、止め片３４、３５の摩擦面との接触により、ナット３３の締め付けに伴ってブリッジ２１や智２２がレンズ１に対して回動するのを防ぐことができる。また、締め付けた後も、止め片３４、３５の複数の突起３４１、３５１による高い摩擦抵抗により、使用時にナット３３の締め付けが緩んでも、ブリッジ２１や智２２がレンズ１に対して回動することを防ぐことができる。
【００１７】
しかも、従来例で述べた固定ピン及び穴を、ブリッジや智、レンズに設ける必要がなく、また、レンズの輪郭形状によらず利用することができるので、歩留まりを格段に良くすることができる。
【００１８】
図示例では、ねじ棒３２が半田付け等によってブリッジ２１の両端及び左右の智２２、２２それぞれの一端に立設されているが、それに限定されず、例えば図４に示すように、ブリッジ２１の両端及び左右の智２２それぞれの一端に通孔２２１が穿設され（図４は智２２について示すが、ブリッジ２１も同様である）、その通孔２２１にねじ棒３２を挿通した状態で通孔２２１にて係止させるようにしてもよい。図４の例では、ねじ棒３２は、ねじが設けられた端部３２１と、端部３２１の反対側にあるヘッド部３２２と、ヘッド部３２２と端部３２１との間に設けられた通孔２２１に嵌合させるための拡径部３２３とからなる。拡径部３２３の外周面には通孔２２１の内壁と互いに係止し合う複数のリブ３２３１が形成されており、これら複数のリブ３２３１を介してねじ棒３２が通孔２２１内で係止される。
【００１９】
また、図５に示すように、ねじ棒３２の端部がナット３３外に突出する場合、該突出部分により他のものが傷つかないように、突出部分を保護キャップ３６により被うようにしても良い。
【００２０】
また、縁無し眼鏡では、鼻当てが鼻当てアームに取り付けられてから半田付けによって鼻当てアームをブリッジに固定するのが一般的であるが、図６に示すように、第２の止め片３５から延出するようにして鼻当て４を配設するようにしても良い。この場合、ブリッジ２１が半田付けにより脆くなって、そこから割れやすくなる虞を小さくすることができる。
【００２１】
以上説明した実施形態は、あくまでも本発明の技術的内容を明らかにする意図のものにおいてなされたものであり、本発明はそうした具体例に限定して狭義に解釈されるものではなく、本発明の精神とクレームに述べられた範囲で変更して実施することができるものである。
【図面の簡単な説明】
【００２２】
【図１】本発明を適用した実施形態の縁無し眼鏡を示す要部斜視図である。
【図２】固定手段の分解構成図である。
【図３】固定手段の断面図である。
【図４】固定手段におけるねじ棒の分解構成図である。
【図５】保護キャップを増設した固定手段の断面図である。
【図６】鼻当てが止め片から延出する構成とした固定手段の断面図である。
【図７】従来例の縁無し眼鏡の一部斜視図である。
【図８】従来例の縁無し眼鏡の固定手段の分解構成図である。
【図９】従来例の縁無し眼鏡の一部正面図である。
【図１０】別の従来例の縁無し眼鏡の一部分解斜視図である。
【図１１】別の従来例の縁無し眼鏡の一部正面図である。
【符号の説明】
【００２３】
１        レンズ
２１      ブリッジ
２２      智
３        固定手段
３１      貫通孔
３２      ねじ棒
３２１    端部
３２２    ヘッド部
３２３    拡径部
３２３１  リブ
３３      ナット
３４      第１の止め片
３４０    中心孔
３４１    突起
３５      第２の止め片
３５０    中心孔
３５１    突起
３６      保護キャップ
４        鼻当て
【図１】
2004246355.tif 000003
【図２】
2004246355.tif 000004
【図３】
2004246355.tif 000005
【図４】
2004246355.tif 000006
【図５】
2004246355.tif 000007
【図６】
2004246355.tif 000008
【図７】
2004246355.tif 000009
【図８】
2004246355.tif 000010
【図９】
2004246355.tif 000011
【図１０】
2004246355.tif 000012
【図１１】
2004246355.tif 000013